(57)【要約】【課題】使用時の周囲温度の高低にかかわらず、安定した応答性をもって表示を行うことができる電気泳動表示装置の駆動方法および電気泳動表示装置を提供する。【解決手段】電極間に所定電圧の駆動パルスを印加し、前記電極間に配置した帯電極性が異なる２色の電気泳動粒子を前記駆動パルスのパルス数に応じて遷移させ、複数階調の表示を行う電気泳動表示装置３０の駆動方法であって、想定最高使用温度における前記複数階調の階調間遷移時間のうち最も短い最短遷移時間を、前記駆動パルスの１パルス長として設定するパルス長設定工程と、設定した前記１パルス長に基づいて、各階調間遷移時間に対応した各階調間駆動パルス数を決定するパルス数決定工程と、決定した各階調間駆動パルス数に基づいて、電極間に駆動パルスを印加し前記複数階調の表示を行う表示工程と、を備えている。【選択図】図２
2011197513.tif 000002
【特許請求の範囲】
【請求項１】
電極間に所定電圧の駆動パルスを印加し、前記電極間に配置した帯電極性が異なる２色の電気泳動粒子を前記駆動パルスのパルス数に応じて遷移させ、複数階調の表示を行う電気泳動表示装置の駆動方法であって、
想定最高使用温度における前記複数階調の階調間遷移時間のうち最も短い最短遷移時間を、前記駆動パルスの１パルス長として設定するパルス長設定工程と、
設定した前記１パルス長に基づいて、実使用温度における前記各階調間遷移時間に対応した各階調間駆動パルス数を決定するパルス数決定工程と、
決定した前記各階調間駆動パルス数に基づいて、前記電極間に前記駆動パルスを印加し前記複数階調の表示を行う表示工程と、を備えたことを特徴とする電気泳動表示装置の駆動方法。
【請求項２】
電極間に所定電圧の駆動パルスを印加し、前記電極間に配置した帯電極性が異なる２色の電気泳動粒子を前記駆動パルスのパルス数に応じて遷移させ、複数階調の表示を行う電気泳動表示装置の駆動方法であって、
想定最高使用温度における前記複数階調の階調間遷移時間のうち最も短い最短遷移時間を、前記駆動パルスの１パルス長として、想定使用温度の温度範囲における各温度毎の、前記各階調間遷移時間に対応した各階調間駆動パルス数を規定した制御テーブルに基づいて、実使用温度における前記各階調間駆動パルス数を決定するパルス数決定工程と、
決定した前記各階調間駆動パルス数に基づいて、前記電極間に前記駆動パルスを印加し前記複数階調の表示を行う表示工程と、を備えたことを特徴とする電気泳動表示装置の駆動方法。
【請求項３】
前記複数階調が８階調であって、前記想定最高使用温度が５０℃であり、
前記想定使用温度が２５℃の場合の前記最短遷移時間における前記各階調間駆動パルス数が、１１または１２であり、
前記想定使用温度が０℃の場合の前記最短遷移時間における前記各階調間駆動パルス数が、１２３〜１４８または１３４〜１６４であることを特徴とする請求項２に記載の電気泳動表示装置の駆動方法。
【請求項４】
前記２色の電気泳動粒子が、ブラックの電気泳動粒子およびホワイトの電気泳動粒子であり、
前記複数階調が、ブラック、ダークグレー、グレーおよびホワイトの４階調であることを特徴とする請求項１ないし３のいずれかに記載の電気泳動表示装置の駆動方法。
【請求項５】
前記パルス数決定工程において、決定した各階調間駆動パルス数が整数であることを特徴とする請求項１ないし４のいずれかに記載の電気泳動表示装置の駆動方法。
【請求項６】
電極間に所定電圧の駆動パルスを印加し、前記電極間に配置した帯電極性が異なる２色の電気泳動粒子を前記駆動パルスのパルス数に応じて遷移させ、複数階調の表示を行う電気泳動表示装置であって、
想定最高使用温度における前記複数階調の階調間遷移時間のうち最も短い最短遷移時間を、前記駆動パルスの１パルス長として記憶するパルス長記憶手段と、
記憶した前記１パルス長に基づいて、実使用温度における前記各階調間遷移時間に対応した各階調間駆動パルス数を決定するパルス数決定手段と、
決定した前記各階調間駆動パルス数に基づいて、前記電極間に前記駆動パルスを印加し前記複数階調の表示を行う表示手段と、を備えたことを特徴とする電気泳動表示装置。
【請求項７】
電極間に所定電圧の駆動パルスを印加し、前記電極間に配置した帯電極性が異なる２色の電気泳動粒子を前記駆動パルスのパルス数に応じて遷移させ、複数階調の表示を行う電気泳動表示装置であって、
想定最高使用温度における前記複数階調の階調間遷移時間のうち最も短い最短遷移時間を、前記駆動パルスの１パルス長とし、前記１パルス長に基づいて、想定使用温度の温度範囲における各温度毎の、前記各階調間遷移時間に対応した各階調間駆動パルス数の制御テーブルを記憶する制御テーブル記憶手段と、
記憶した前記制御テーブルに基づいて、実使用温度における前記各階調間駆動パルス数を決定するパルス数決定手段と、
決定した前記各階調間駆動パルス数に基づいて、前記電極間に前記駆動パルスを印加し前記複数階調の表示を行う表示手段と、を備えたことを特徴とする電気泳動表示装置。
【請求項８】
前記複数階調が８階調であって、前記想定最高使用温度が５０℃であり、
前記想定使用温度が２５℃の場合の前記最短遷移時間における前記各階調間駆動パルス数が、１１または１２であり、
前記想定使用温度が０℃の場合の前記最短遷移時間における前記各階調間駆動パルス数が、１２３〜１４８または１３４〜１６４であることを特徴とする請求項７に記載の電気泳動表示装置。
【請求項９】
前記実使用温度を検出する温度検出手段を、更に備え、
前記パルス数決定手段は、前記温度検出手段の検出結果に基づいて、前記各階調間駆動パルス数を決定することを特徴とする請求項６ないし８のいずれかに記載の電気泳動表示装置。
【発明の詳細な説明】
【技術分野】
【０００１】
本発明は、電極間に所定電圧の駆動パルスを印加し、前記電極間に配置した帯電極性が異なる２色の電気泳動粒子を前記駆動パルスのパルス数に応じて遷移させ、複数階調の表示を行う電気泳動表示装置の駆動方法および電気泳動表示装置に関するものである。
【背景技術】
【０００２】
従来、この種の電気泳動表示装置として、白色および黒色の電気泳動粒子を用い、その複数の中間色を含んで８階調の表示を行うものが知られている（例えば、特許文献１）。
この電気泳動表示装置は、正に帯電した白色泳動粒子と負に帯電した黒色泳動粒子とを分散液に封入した多数のマイクロカプセルをマトリクス状に有し、この多数のマイクロカプセルを、透明電極で構成された表側の共通電極と裏側の画素電極と、でサンドイッチして構成されている。共通電極にハイレベルの電圧を印加すると共に画素電極にローレベルの電圧を印加して、電界を生じさせると、クーロン力により、共通電極側に黒色泳動粒子が画素電極側に白色泳動粒子がそれぞれ泳動し、黒色が表示される。逆に、共通電極にローレベルの電圧を印加すると共に画素電極にハイレベルの電圧を印加して、上記と逆の電界を生じさせると、共通電極側に白色泳動粒子が画素電極側に黒色泳動粒子がそれぞれ泳動（遷移）し、白色が表示される。
この場合、共通電極には、所定電圧の駆動パルスが印加され、駆動パルス数の増加に応じて白色から中間色を経て黒色に遷移し、また黒色から中間色を経て白色に遷移する。このため、予め駆動パルス数と遷移時間の関係を規定しておいて、任意の階調に遷移するために必要なパルス数を電極に印加することで８階調の表示を可能にしている。
【先行技術文献】
【特許文献】
【０００３】
【特許文献１】特開２００８−８８３２号公報
【発明の概要】
【発明が解決しようとする課題】
【０００４】
ところで、マイクロカプセルを用いるこの種の電気泳動表示装置では、白色泳動粒子および黒色泳動粒子の泳動媒体となる分散液が、温度により粘度変化して応答性に影響を及ぼすことが知られている。
これに対し、従来の電気泳動表示装置では、必要な遷移時間（電気量）に相当する数の駆動パルスを電極に印加することで、いわゆるキックバックを抑制しつつ階調表示を適切に行うようにしているが、具体的な温度対応の対策は執られておらず、特に使用温度が低い場合に、応答性が悪化する問題があった。
【０００５】
本発明は、使用時の周囲温度の高低にかかわらず、安定した応答性をもって表示を行うことができる電気泳動表示装置の駆動方法および電気泳動表示装置を提供することを課題としている。
【課題を解決するための手段】
【０００６】
本発明の電気泳動表示装置の駆動方法は、電極間に所定電圧の駆動パルスを印加し、電極間に配置した帯電極性が異なる２色の電気泳動粒子を駆動パルスのパルス数に応じて遷移させ、複数階調の表示を行う電気泳動表示装置の駆動方法であって、想定最高使用温度における複数階調の階調間遷移時間のうち最も短い最短遷移時間を、駆動パルスの１パルス長として設定するパルス長設定工程と、設定した１パルス長に基づいて、実使用温度における各階調間遷移時間に対応した各階調間駆動パルス数を決定するパルス数決定工程と、決定した各階調間駆動パルス数に基づいて、電極間に駆動パルスを印加し複数階調の表示を行う表示工程と、を備えたことを特徴とする。
【０００７】
本発明の電気泳動表示装置は、電極間に所定電圧の駆動パルスを印加し、電極間に配置した帯電極性が異なる２色の電気泳動粒子を駆動パルスのパルス数に応じて遷移させ、複数階調の表示を行う電気泳動表示装置であって、想定最高使用温度における複数階調の階調間遷移時間のうち最も短い最短遷移時間を、駆動パルスの１パルス長として記憶するパルス長記憶手段と、記憶した１パルス長に基づいて、実使用温度における各階調間遷移時間に対応した各階調間駆動パルス数を決定するパルス数決定手段と、決定した各階調間駆動パルス数に基づいて、電極間に駆動パルスを印加し複数階調の表示を行う表示手段と、を備えたことを特徴とする。
【０００８】
これらの構成によれば、想定最高使用温度における階調間遷移時間のうち最も短い最短遷移時間を駆動パルスの1パルスとして設定し、これに基づいて実使用温度における各階調間駆動パルス数を決定し、表示を行うようにしているため、電極間に印加する一定電圧の駆動パルスのパルス数を変えるだけで、任意の階調を表現することができる。また、使用時の周囲温度に対応した適切な表示を行うことができる。すなわち、使用時の周囲温度の高低にかかわらず、安定した応答性をもって複数階調の表示を行うことができる。さらに、駆動のための制御系を単純化することができる。
【０００９】
本発明の他の電気泳動表示装置の駆動方法は、電極間に所定電圧の駆動パルスを印加し、電極間に配置した帯電極性が異なる２色の電気泳動粒子を駆動パルスのパルス数に応じて遷移させ、複数階調の表示を行う電気泳動表示装置の駆動方法であって、想定最高使用温度における複数階調の階調間遷移時間のうち最も短い最短遷移時間を、駆動パルスの１パルス長として、想定使用温度の温度範囲における各温度毎の、各階調間遷移時間に対応した各階調間駆動パルス数を規定した制御テーブルに基づいて、実使用温度における各階調間駆動パルス数を決定するパルス数決定工程と、決定した各階調間駆動パルス数に基づいて、電極間に駆動パルスを印加し複数階調の表示を行う表示工程と、を備えたことを特徴とする。
【００１０】
本発明の他の電気泳動表示装置は、電極間に所定電圧の駆動パルスを印加し、電極間に配置した帯電極性が異なる２色の電気泳動粒子を駆動パルスのパルス数に応じて遷移させ、複数階調の表示を行う電気泳動表示装置であって、想定最高使用温度における複数階調の階調間遷移時間のうち最も短い最短遷移時間を、駆動パルスの１パルス長とし、１パルス長に基づいて、想定使用温度の温度範囲における各温度毎の、各階調間遷移時間に対応した各階調間駆動パルス数の制御テーブルを記憶する制御テーブル記憶手段と、記憶した制御テーブルに基づいて、実使用温度における各階調間駆動パルス数を決定するパルス数決定手段と、決定した各階調間駆動パルス数に基づいて、電極間に駆動パルスを印加し複数階調の表示を行う表示手段と、を備えたことを特徴とする。
【００１１】
具体的には、複数階調が８階調であって、想定最高使用温度が５０℃であり、想定使用温度が２５℃の場合の最短遷移時間における各階調間駆動パルス数が、１１または１２であり、想定使用温度が０℃の場合の最短遷移時間における各階調間駆動パルス数が、１２３〜１４８または１３４〜１６４であることが好ましい。
【００１２】
これらの構成によれば、想定最高使用温度における階調間遷移時間のうち、最も短い最短遷移時間を駆動パルスの1パルスとし、これに基づいた想定使用温度の温度範囲における各温度毎の、各階調間駆動パルス数の制御テーブルにより、表示を行うようにしているため、使用時の周囲温度に対応した適切な表示を行うことができる。すなわち、使用時の周囲温度の高低にかかわらず、安定した応答性をもって複数階調の表示を行うことができる。また、駆動のための制御系を単純化することができる。
【００１３】
この場合、２色の電気泳動粒子が、ブラックの電気泳動粒子およびホワイトの電気泳動粒子であり、複数階調が、ブラック、ダークグレー、グレーおよびホワイトの４階調であることが好ましい。
【００１４】
この構成によれば、階調間遷移に必要な電極に印加する駆動パルス数を、各階調間ごとに明確な比率で表現できるため、任意の階調を表現するために適当な数のパルスを電極に印加することが可能となり、モノクロの各階調の差異を明確に表現できる。
【００１５】
この場合、パルス数決定工程において、決定した各階調間駆動パルス数が整数であることが好ましい。
【００１６】
この構成によれば、任意の階調を表現するための駆動パルスのパルス数制御を容易に行うことができる。
【００１７】
この場合、実使用温度を検出する温度検出手段を、更に備え、パルス数決定手段は、温度検出手段の検出結果に基づいて、各階調間駆動パルス数を決定する事が好ましい。
【００１８】
この構成によれば、温度検出手段が検出した実使用温度に応じて各階調間駆動パルス数を決定することが可能となるため、使用温度環境が変化してもリアルタイムで最適なパルス数の駆動パルスを電極に供給することができる。
【図面の簡単な説明】
【００１９】
【図１】第1実施形態に係る表示パネルの構成を示す模式図である。
【図２】第１実施形態に係る制御基板の構成を示すブロック図である。
【図３】第１実施形態に係る電圧印加時間と色の関係を表すグラフの一例である。
【図４】第１実施形態に係る駆動パルス数と色の関係の一例を表す図である。
【図５】本実施形態の実施例の試験結果を示す図である。
【００２０】
以下、添付の図面を参照して、本発明の一実施形態に係る電気泳動表示装置の駆動方法および電気泳動表示装置について説明する。この電気泳動表示装置は、マイクロカプセル内に封入した白色泳動粒子と黒色泳動粒子と、を静電気力（クーロン力）によってそれぞれ表裏方向に泳動（遷移）させ、モノクロ画像を表示するものであり、特に周囲温度の影響を排除して、表示の応答性を高めたものである。
【００２１】
図１は、電気泳動表示装置３０の表示パネルの構成を示す模式図である。
表示パネル１は、画素を構成するマイクロカプセル７を有する電気泳動層６と、電気泳動層６の表面側に積層した共通電極３と、電気泳動層６の裏面側に積層した画素電極５と、を備えている。共通電極３は、透明電導材であるＩＴＯ（Indium  Tin  Oxide）によって形成された透明電極で構成されている。共通電極３および画素電極５は、制御基板２０（図２参照）と電気的に接続されており、共通電極３および画素電極５に、制御基板２０から入力する電圧（駆動パルス）が印加されることで、マイクロカプセル７による表示が行われる。すなわち、図示では省略したが、この表示パネル１と、これに添設するように直接接続した制御基板２０と、により電気泳動表示装置３０（図２参照）が構成されている。
【００２２】
電気泳動層６は、複数のマイクロカプセル７を有しており、膜体で球形に形成された各マイクロカプセル７には、黒色の電気泳動粒子（以下、黒色電気泳動粒子）９と、白色の電気泳動粒子（以下、白色電気泳動粒子）１０と、が電気泳動分散液１８と共に封入されている。すなわち、実施形態の表示パネル１には、白黒２色の粉末流体方式の電気泳動層６が構成されている。そして、黒色電気泳動粒子９および白色電気泳動粒子１０は、互いに異なる極性に帯電されている。
【００２３】
制御基板２０により共通電極３および画素電極５のうち、一方の電極にハイレベルの電圧を、他方の電極にローレベルの電圧を印加して、電界を生じさせることで、クーロン力により電極の極性に対応した泳動粒子がそれぞれ泳動し、引き寄せられる。例えば、黒色電気泳動粒子９が正の電荷、白色電気泳動粒子１０が負の電荷にそれぞれ帯電している状態で、共通電極３側が正、画素電極５側が負となるように電圧を印加すると、マイクロカプセル７内の負に帯電した白色電気泳動粒子１０が共通電極３側に、正に帯電した黒色電気泳動粒子９が画素電極５側に集中する。
【００２４】
このような状態では、画素電極５に集中した黒色電気泳動粒子９は、共通電極３側に集中した白色電気泳動粒子１０に隠れて視認しづらくなり、結果として、共通電極３側に集中した白色電気泳動粒子１０の色が表示パネル１の表面で視認される。すなわち、この場合、表示パネル１の表面では白色表示が強くなる。逆に、共通電極３側が負、画素電極５側が正となるように電圧を印加すると、負に帯電した白色電気泳動粒子１０が画素電極５側に、正に帯電した黒色電気泳動粒子９が共通電極３側に集中し、表示パネル１の表面では黒色表示が強くなる。
【００２５】
また、各電極に印加する電圧を制御して、各色の電気泳動粒子が共通電極３に集中していない状態では、表示パネル１の表示色を電気泳動粒子の白黒の間の中間色を表現することも可能である。すなわち、電極間に印加する電圧の印加時間（駆動信号のパルス数で制御）を制御基板２０で制御することによって、表示パネル１の表示色を不可逆的に変化させる。これにより、４階調や８階調のモノクロ表示を可能としている。なお、実施形態のものは、１のマイクロカプセル７を１の画素としているが、複数のマイクロカプセル７を１の画素としてもよい。
【００２６】
図２は、制御基板２０の構成の一例を示すブロック図である。同図に示すように、制御基板２０は、操作制御回路２１、電圧制御回路２２、温度センサー２８、温度制御回路２９、制御回路２３および表示駆動回路２４を有している。操作制御回路２１は、電気泳動表示装置３０の外部に設置されている操作スイッチ２５からの操作内容を判別し、制御回路に操作内容を伝達する。電圧制御回路２２は、電源２６から供給される電圧を制御して制御回路２３に供給している。温度センサー２８は、電気泳動表示装置３０の現在の使用温度（電気泳動表示装置３０の使用環境温度）を検出し、温度制御回路２９に通知する。温度制御回路２９は、温度センサー２８にて検出した温度情報を電気信号化した後、制御回路２３に通知する。
【００２７】
一方、制御回路２３は、表示パネル１の画像情報、温度に対応した各階調間の遷移に必要な駆動パルス数情報（制御テーブル）および、現在の表示パネル１の表示色（遷移状態）を記憶しており、操作制御回路２１からの操作指令に従って、温度制御回路２９から受信した現在の温度情報と現在の電気泳動粒子の遷移状態、さらに次に表示する画像情報から、電極に印加する駆動パルスのパルス数を制御テーブルから読み出し、表示駆動回路２４に通知する。表示駆動回路２４は制御基板２０の外部にインターフェース（Ｉ／Ｆ）２７を介して接続されており、表示駆動回路２４自体は表示パネル１と直接電気的に接続され、制御回路２３からの指令に従って駆動パルスを生成し、表示パネル１の共通電極３および画素電極５に印加する。
【００２８】
図３は、本発明の実施形態に係る電圧印加時間と階調（色変化）との関係を表すグラフの一例である。実施形態のものは、４階調のモノクロ表示を可能とした電気泳動表示装置３０であり、図３（ａ）、（ｂ）および（ｃ）において、横軸が電極への電圧印加時間を示しており、縦軸が黒から白への色のコントラストを示している。本実施形態においては階調数が、ブラック、ダークグレー、グレーおよびホワイトの４階調となっており、各階調間を遷移するために必要な電極への電圧印加時間は飽和曲線で表される。なお、ここで印加する電圧は、１５Ｖを想定している。
【００２９】
図３（ａ）は実使用温度５０℃、同図（ｂ）は実使用温度２５℃、同図（ｃ）は実使用温度０℃の時の階調遷移に対する電圧印加時間を表している。このように、この階調間遷移に必要な電圧印加時間は、温度環境によって左右され、温度が高い時は電圧印加時間は短く、温度が低くなるにつれて印加時間は長くなる。例えば、図３（ａ）は実使用温度５０℃の時の階調遷移に対する電圧印加時間を示しており、黒色表示されている状態から、電極に電圧を印加してゆく場合、ブラックからダークグレーへの電圧印加時間は１５ｍｓｅｃ、ブラックからグレーへの電圧印加時間は５０ｍｓｅｃ、ブラックからホワイトへの電圧印加時間は１５０ｍｓｅｃとなっている。これに対し、図３（ｂ）は実使用温度２５℃の時の階調遷移に対する電圧印加時間を示しており、ブラックからダークグレーへの電圧印加時間は３０ｍｓｅｃ、ブラックからグレーへの電圧印加時間は１２０ｍｓｅｃ、ブラックからホワイトへの電圧印加時間は３００ｍｓｅｃとなっている。このように、実使用温度が低くなるほど、各階調間遷移に必要な電圧印加時間は長くなる。
【００３０】
図３（ａ）の実使用温度５０℃は、想定最高使用温度における階調間遷移に必要な電圧印加時間を示している。この温度環境で各階調間の遷移に必要な電圧印加時間のうち最短のものを、電極への電圧印加時間の最小単位とすることで、各階調間の遷移に必要な電圧印加時間を駆動パルスで制御することが容易となる。すなわち、本実施形態においては、想定最高使用温度における各階調間遷移時間のうち、最も短い電圧印加時間である、ブラックからダークグレーへの電圧印加時間１５ｍｓｅｃを駆動パルスの１パルス長として（以下、このパルス長の駆動パルスを、最短パルスと記載する）表示パネルの表示色制御を行うようにしている。例えば、本実施形態の想定最高使用温度下（図３（ａ））においては、ブラックからダークグレーへ遷移させるために電極に印加する駆動パルスの数は１、ブラックからグレーへ遷移させるために電極に印加する駆動パルスの数は３、ブラックからホワイトへ遷移させるために電極に印加する駆動パルスの数は２７となる。なお。この場合の駆動パルス数は、制御を考慮してすべて整数とする。
【００３１】
図４は、上記の規定に倣って、実使用温度０℃、２５℃、５０℃において、ブラックからホワイトに遷移する際および、ホワイトからブラックに遷移する際に必要な駆動パルス数を表した表である。なお、ブラックからホワイトに遷移場合と、ホワイトからブラックに遷移する場合とでは、電圧印加時間が異なるため、両者について、４階調分の駆動パルス数を規定している。また、実際には、実使用温度０℃から５０℃の間において、１℃或いは数℃の単位で、駆動パルス数が規定されており（図示では、省略している）、この温度対応で規定された駆動パルス数に基づいて、電気泳動表示装置３０の制御が実施される。すなわち、上記の制御テーブルには、１℃或いは数℃の単位で、駆動パルス数が規定されている。
【００３２】
以上の構成からなる電気泳動表示装置３０においては、制御基板２０の制御回路２３には、図４に示すような実使用温度における、各階調間遷移に必要な駆動パルス数が制御テーブルとして記憶されている。これにより、制御回路２３が、温度センサー２８および温度制御回路２９から取得した実使用温度情報に従って各階調間遷移に最適な駆動パルス供給指令を表示駆動回路２４に通知することができる。また、表示駆動回路２４においては前記の最短パルスを駆動パルスとして生成し、電極に印加しているため、表示パネル１には鮮明な画像が表示される。
【００３３】
このように、第１実施形態によれば、想定最高使用温度範囲内における階調間遷移時間のうち最も短い最短遷移時間を駆動パルスの1パルスとして設定することで、任意の色を表現するために最適なパルス数を制御基板２０で制御して電極に印加することが可能となり、より鮮明な色を表現することができる。さらに、想定使用温度範囲を考慮して生成された制御テーブルに基づいてパルス数を決定しているため、使用温度環境が変化した場合でも、任意の色を表現するために最適なパルス数を電極に印加することが可能となり、結果として使用温度環境に依存せずに鮮明な色を表現することが可能となる。
【００３４】
なお、本実施形態における電気泳動表示装置の駆動方法は、階調数が４階調の電気泳動表示装置を用いたが、階調数が８階調の電気泳動表示装置に本発明の駆動方法を応用しても良い。
【００３５】
また、本実施形態において、電気泳動層６のマイクロカプセル７には、正の電化に帯電した黒色電気泳動粒子９と、負の電荷に帯電した白色電気泳動粒子１０を用いたが、色と極性を反対にして用いても良い。すなわち、負の電化に帯電した黒色電気泳動粒子９と、正の電荷に帯電した白色電気泳動粒子１０を用いても良い。
【００３６】
さらに、本実施形態における各階調の色は本実施形態の規定によるものであり、各階調間繊維に必要な電圧印加時間も本実施形態の制御基板の特性（パルス振幅値）に依存するものである。したがって、各階調で表現する色の規定および、電極への電圧印加時間は設計要件によって異なる。
【００３７】
本実施形態における駆動方法を用いた電気泳動表示装置３０は表示パネル１が画面形態のもののみではなく、可撓性を有する電気泳動表示装置を用いた時計など幅広い分野において応用可能である。
【００３８】
なお、上記の実施形態においては、制御基板２０の制御回路２３に各階調間遷移に必要な駆動パルス数を制御テーブルとして記憶し、実使用温度に対応するパルス数を引き当てた後、表示駆動回路２４に通知していたが、温度と各階調間遷移に必要な電圧印加時間の相関関係を導き出し、温度制御回路２９から取得した温度情報から制御回路２３が駆動パルスのパルス数を演算することで決定しても良い。この方法によれば、制御テーブルでは温度ごとに記憶しているパルス数でしか、電極に印加することができなかったが、演算によってパルス数を導き出すことで、温度テーブルでは表現できない温度間のパルス数を補完することができる。
【００３９】
なお、本実施形態において用いた電気泳動表示装置３０に操作子もしくは入力端子を設置して、制御テーブルの情報を変更可能としても良い。これにより、電気泳動表示装置３０の各階調で表現される表示色の調整が可能となる。
【００４０】
次に、駆動パルスの決定結果（制御テーブル）において、階調数を８階調としたときの検証結果について説明する（図５参照）。
ここでは、想定使用温度を０℃，２５℃，５０℃とし、駆動パルスのパルス長（単位パルス）は、８階調表現の電気泳動表示装置が５０℃のときに、階調１から階調２へ遷移させるために必要な電圧印加時間としている。
試験は、各想定使用温度における各階調間駆動パルス数を、５０℃の時の各階調間駆動パルス数を任意の倍数で表し、そのときの各階調（モノクロの色彩）を反射率で測定評価した。評価方法については後に詳述する。なお、本試験は、想定使用温度について且つ８階調に亘って実施し、総合的に評価を行ったが、ここでは０℃，２５℃，５０℃の場合における階調１から階調２へ遷移の結果のみを示す。
【００４１】
評価方法としては、表示パネルにおける波長３８０〜７５０ｎｍの光の透過率を測定しその平均値から反射率を求めると共に、２５℃の場合の反射率を基準（１とする）とし、他の０℃および５０℃の場合の反射率との差を％で求めて評価を行った。
評価基準は、２５℃のときの反射率との差が０〜３％未満の場合を「Ａ」、３〜１０％未満の場合を「Ｂ」、１０％以上を「Ｃ」とした。さらに、０℃および５０℃の８階調（計１６の状態）に対して評価を行い、総合評価として上記の評価基準の、「Ｃ」がなしで「Ｂ」が３個以内のときを「総合Ａ」、「Ｃ」がなしで「Ｂ」が４個以上のときを「総合Ｂ」、「Ｃ」があるときを「総合Ｃ」とした。
【００４２】
図５に本実施形態の実施例の試験結果を示す。この結果、総合評価「Ａ」（ベスト）または総合評価「Ｂ」（ベター）となった実施例１〜５について、５０℃のときの階調１から階調２へ遷移させるための最短の電圧印加時間（最短遷移時間）を単位パルス（１パルス）とし、２５℃における最短遷移時間では１１倍のパルス数に、０℃における最短遷移時間では１２３〜１４８倍のパルス数に、もしくは２５℃のでは１２倍のパルス数に、０℃では１３４〜１６４倍のパルス数にすることが妥当であることが確認された。
一方、総合評価「Ｃ」（ＮＧ）となった実施例６〜１１については、上記の数値範囲を逸脱していることが確認された。
【符号の説明】
【００４３】
１：表示パネル、  ３：共通電極、  ５：画素電極、  ６：電気泳動層、  ７：マイクロカプセル、  ９：黒色電気泳動粒子、  １０：白色電気泳動粒子、  １８：電気泳動分散液、  ２０：制御基板、  ２８：温度センサー、  ２９：温度制御回路、  ３０：電気泳動表示装置
【図１】
2011197513.tif 000003
【図２】
2011197513.tif 000004
【図３】
2011197513.tif 000005
【図４】
2011197513.tif 000006
【図５】
2011197513.tif 000007